(57)【要約】【課題】処理した紙幣の特徴情報を、システム環境や金融機関等に応じた適切なフォーマットで出力可能にする。【解決手段】紙幣処理装置１００において、制御部１２０は、紙幣を一枚ずつ搬送する搬送部７の動作を制御するとともに、紙幣の搬送中に特徴情報を取得する紙幣情報取得部３から紙幣の特徴情報を受ける。制御部１２０は、紙幣の特徴情報を出力するフォーマットを、複数のフォーマットの中から選択設定するフォーマット設定部２１０と、紙幣の特徴情報を選択設定されたフォーマットに編集し、出力用データファイルを作成する編集部２２０と、を備える。【選択図】図３
2016146027.tif 000002
【特許請求の範囲】
【請求項１】
紙幣を一枚ずつ搬送するように構成された搬送部と、
前記搬送部が前記紙幣を搬送している最中に、前記紙幣の特徴情報を取得する紙幣情報取得部と、
前記搬送部の動作を制御するとともに、前記紙幣情報取得部から前記紙幣の特徴情報を受ける制御部とを備え、
前記制御部は、
前記紙幣の特徴情報を出力するフォーマットを、複数のフォーマットの中から、選択設定するフォーマット設定部と、
前記紙幣情報取得部から受けた前記紙幣の特徴情報を、前記フォーマット設定部によって選択設定されたフォーマットに編集することによって、出力用データファイルを作成する編集部と、
を備えている紙幣処理装置。
【請求項２】
前記複数のフォーマットは、通信方式が互いに異なる少なくとも２つのフォーマットを含む
ことを特徴とする請求項１記載の紙幣処理装置。
【請求項３】
前記複数のフォーマットは、当該紙幣処理装置を利用する金融機関が互いに異なる少なくとも２つのフォーマットを含む
ことを特徴とする請求項１記載の紙幣処理装置。
【請求項４】
前記複数のフォーマットは、当該紙幣処理装置を特定する情報が含まれたフォーマットを含む
ことを特徴とする請求項１載の紙幣処理装置。
【請求項５】
前記複数のフォーマットは、当該紙幣処理装置の操作者を特定する情報が含まれたフォーマットを含む
ことを特徴とする請求項１記載の紙幣処理装置。
【請求項６】
記憶部を備え、
前記制御部は、前記編集部によって作成された出力用データファイルを、前記記憶部に記憶させる
ことを特徴とする請求項１〜５のうちいずれか１項の紙幣処理装置。
【請求項７】
前記制御部は、前記編集部によって作成された出力用データファイルを、当該出力用データファイルに対応する紙幣が当該紙幣処理装置の外部に放出されるとき、前記記憶部に記憶させる
ことを特徴とする請求項６記載の紙幣処理装置。
【請求項８】
前記記憶部に記憶された出力用データファイルを、外部に送信する外部送信部を備えた
ことを特徴とする請求項６記載の紙幣処理装置。
【請求項９】
前記制御部は、
前記記憶部に記憶された出力用データファイルを、作成から所定の保存日数が経過したとき、前記記憶部から削除するものであり、かつ、外部に未送信の出力用データファイルの保存日数を、外部に送信済の出力用データファイルよりも長い期間に設定する
ことを特徴とする請求項８記載の紙幣処理装置。
【請求項１０】
前記制御部は、前記記憶部に、外部に未送信の出力用データファイルと、外部に送信済の出力用データファイルとを、区別可能なように記憶させる
ことを特徴とする請求項８記載の紙幣処理装置。
【請求項１１】
前記記憶部は、当該紙幣処理装置から取り外し可能である
ことを特徴とする請求項６〜１０のうちいずれか１項記載の紙幣処理装置。
【請求項１２】
前記制御部は、前記記憶部が記憶可能な状態でないとき、前記搬送部を動作させない
ことを特徴とする請求項６〜１１のうちいずれか１項記載の紙幣処理装置。
【請求項１３】
前記編集部によって作成された出力用データファイルを、外部へ送信する外部送信部を備えた
ことを特徴とする請求項１〜５のうちいずれか１項記載の紙幣処理装置。
【請求項１４】
少なくとも、当該紙幣処理装置を利用する金融機関を特定する金融機関情報を入力可能に構成された操作入力部を備え、
前記フォーマット設定部は、前記操作入力部によって入力された前記金融機関情報を受け、当該金融機関情報が特定する金融機関の仕様に従ったフォーマットを選択設定する
ことを特徴とする請求項１〜１３のうちいずれか１項記載の紙幣処理装置。
【請求項１５】
少なくとも、リジェクト紙幣の特徴情報を記録するか否かの選択を入力可能に構成された操作入力部を備え、
前記制御部は、前記操作入力部によってリジェクト紙幣の特徴情報を記録しないと選択されたとき、リジェクト紙幣について出力用データファイルの作成を行わない
ことを特徴とする請求項１〜１３のうちいずれか１項記載の紙幣処理装置。
【請求項１６】
少なくとも、リジェクト紙幣の特徴情報を記録するか否かの選択を入力可能に構成された操作入力部を備え、
前記制御部は、前記操作入力部によってリジェクト紙幣の特徴情報を記録するか否かの選択がなされないとき、リジェクト紙幣について出力用データファイルの作成を行う
ことを特徴とする請求項１〜１３のうちいずれか１項記載の紙幣処理装置。
【請求項１７】
少なくとも、オンラインモードかオフラインモードかの選択を入力可能に構成された操作入力部を備え、
前記制御部は、前記操作入力部によってオフラインモードが選択されたとき、前記外部送信部の動作を停止する
ことを特徴とする請求項８〜１０，１３のうちいずれか１項記載の紙幣処理装置。
【請求項１８】
前記制御部は、一時記憶部を有し、前記紙幣情報取得部から受けた前記紙幣の特徴情報を、一時的に、前記一時記憶部に記憶させる
ことを特徴とする請求項１〜１７のうちいずれか１項記載の紙幣処理装置。
【請求項１９】
紙幣を一枚ずつ搬送するように構成された搬送部を備えた紙幣処理装置における紙幣処理方法であって、
前記紙幣を搬送中に、前記紙幣の特徴情報を取得し、
前記紙幣の特徴情報を出力するフォーマットを、複数のフォーマットの中から、選択設定し、
取得した前記紙幣の特徴情報を、選択設定されたフォーマットに編集することによって、出力用データファイルを作成する
紙幣処理方法。
【発明の詳細な説明】
【技術分野】
【０００１】
ここに開示する技術は、紙幣処理装置および紙幣処理方法に関する。
【背景技術】
【０００２】
特許文献１には、紙幣の記番号を読み取り、コンピュータサーバに送信し、複数の同一記番号の偽造紙幣を検出する紙幣管理システムの構成例が開示されている。
【先行技術文献】
【特許文献】
【０００３】
【特許文献１】特開２００３−３０３３６７号公報
【発明の概要】
【発明が解決しようとする課題】
【０００４】
紙幣処理装置は、処理した紙幣の特徴情報を、例えば、当該紙幣処理装置が設置された銀行等のサーバに送信することが要求される。この場合、送信する紙幣の特徴情報について要求される出力フォーマットは、銀行によって、また、同一銀行であっても各支店によって、様々である。このため、紙幣処理装置は、設置される銀行や支店等に応じて、処理した紙幣の特徴情報を適切なフォーマットで出力できることが要求される。
【０００５】
また、紙幣処理装置は、設置場所における運用方法やシステム環境によっても、様々な出力フォーマットが必要となる。例えば、紙幣処理装置から銀行サーバへ直接、データ送信を行うシステムでは、紙幣の特徴情報は、銀行サーバ向けのフォーマットに編集して送信する必要がある。一方、紙幣処理装置が大束結束機に接続されており、紙幣処理装置から銀行サーバへ大束結束機を介してデータ送信を行う構成では、紙幣の特徴情報は、大束結束機向けのフォーマットに編集して送信する必要がある。
【０００６】
したがって、紙幣処理装置は、処理した紙幣の特徴情報を、システム環境や金融機関等に応じた適切なフォーマットで出力可能であることが好ましい。
【０００７】
ここに開示する技術は、かかる点に鑑みてなされたものであり、紙幣処理装置から、処理した紙幣の特徴情報を、システム環境や金融機関等に応じた適切なフォーマットで出力可能にすることを目的とする。
【課題を解決するための手段】
【０００８】
ここに開示する技術は、紙幣処理装置に係り、この紙幣処理装置は、紙幣を一枚ずつ搬送するように構成された搬送部と、前記搬送部が前記紙幣を搬送している最中に、前記紙幣の特徴情報を取得する紙幣情報取得部と、前記搬送部の動作を制御するとともに、前記紙幣情報取得部から前記紙幣の特徴情報を受ける制御部とを備え、前記制御部は、前記紙幣の特徴情報を出力するフォーマットを、複数のフォーマットの中から、選択設定するフォーマット設定部と、前記紙幣情報取得部から受けた前記紙幣の特徴情報を、前記フォーマット設定部によって選択設定されたフォーマットに編集することによって、出力用データファイルを作成する編集部と、を備えている。
【０００９】
この構成によると、制御部は、紙幣を搬送する搬送部の動作を制御するとともに、紙幣の搬送中に紙幣情報取得部によって取得された紙幣の特徴情報を受ける。そして、フォーマット設定部によって、複数のフォーマットの中から、紙幣の特徴情報を出力するフォーマットが選択設定され、編集部によって、紙幣の特徴情報が、選択設定されたフォーマットに編集され、出力用データファイルが作成される。これにより、紙幣処理装置によって処理された紙幣の特徴情報を、当該紙幣処理装置が設置されたシステム環境や当該紙幣処理装置を利用する金融機関等に応じた適切なフォーマットを持つ出力用データファイルに編集することが可能になる。
【００１０】
また、前記複数のフォーマットは、通信方式が互いに異なる少なくとも２つのフォーマットを含む、としてもよい。
【００１１】
この構成によると、通信方式に応じたフォーマットを設定することができる。
【００１２】
また、前記複数のフォーマットは、当該紙幣処理装置を利用する金融機関が互いに異なる少なくとも２つのフォーマットを含む、としてもよい。
【００１３】
この構成によると、当該紙幣処理装置を利用する金融機関に応じたフォーマットを設定することができる。
【００１４】
また、前記複数のフォーマットは、当該紙幣処理装置を特定する情報が含まれたフォーマットを含む、としてもよい。
【００１５】
この構成によると、紙幣の特徴情報に当該紙幣処理装置を特定する情報が含まれた出力用データファイルを作成できる。
【００１６】
また、前記複数のフォーマットは、当該紙幣処理装置の操作者を特定する情報が含まれたフォーマットを含む、としてもよい。
【００１７】
この構成によると、紙幣の特徴情報に当該紙幣処理装置の操作者を特定する情報が含まれた出力用データファイルを作成できる。
【００１８】
また、記憶部を備え、前記制御部は、前記編集部によって作成された出力用データファイルを、前記記憶部に記憶させる、としてもよい。
【００１９】
この構成によると、作成された出力用データファイルを、紙幣処理装置内で記憶しておくことが可能になる。
【００２０】
また、前記制御部は、前記編集部によって作成された出力用データファイルを、当該出力用データファイルに対応する紙幣が当該紙幣処理装置の外部に放出されるとき、前記記憶部に記憶させる、としてもよい。
【００２１】
この構成によると、作成された出力用データファイルは、これに対応する紙幣が紙幣処理装置の外部に放出されたときに記憶部に記憶されるので、外部に放出された紙幣と、紙幣処理装置内で記憶している出力用データファイルとが確実に整合する。
【００２２】
また、前記記憶部に記憶された出力用データファイルを、外部に送信する外部送信部を備えてもよい。
【００２３】
この構成によると、記憶部に記憶された出力用データファイルを、外部へ送信することが可能になる。
【００２４】
また、前記制御部は、前記記憶部に記憶された出力用データファイルを、作成から所定の保存日数が経過したとき、前記記憶部から削除するものであり、かつ、外部に未送信の出力用データファイルの保存日数を、外部に送信済の出力用データファイルよりも長い期間に設定する、としてもよい。
【００２５】
この構成によると、出力用データファイルは作成から所定の保存日数が経過したとき記憶部から削除され、かつ、外部未送信のものは送信済みのものよりも保存期間が長いので、外部未送信の出力用データファイルが紙幣処理装置から削除されてしまうリスクを抑えつつ、記憶部の記憶容量を効率的に活用することが可能になる。
【００２６】
また、前記制御部は、前記記憶部に、外部に未送信の出力用データファイルと、外部に送信済の出力用データファイルとを、区別可能なように記憶させる、としてもよい。
【００２７】
この構成によると、出力用データファイルは、外部未送信のものと送信済みのものとが区別可能なように記憶部に記憶されるので、出力用データファイルの未送信／送信済の管理が容易になる。
【００２８】
また、前記記憶部は、当該紙幣処理装置から取り外し可能である、としてもよい。
【００２９】
この構成によると、取り外し可能である記憶部を、他の装置に出力データファイルを送るための媒体として利用することができる。
【００３０】
また、前記制御部は、前記記憶部が記憶可能な状態でないとき、前記搬送部を動作させない、としてもよい。
【００３１】
この構成によると、記憶部が記憶可能な状態でないときは、搬送部は動作せず、紙幣処理動作が行われない。すなわち、出力用データファイルが保存できないときに紙幣処理が実行されることを回避することができる。
【００３２】
また、前記編集部によって作成された出力用データファイルを、外部へ送信する外部送信部を備えてもよい。
【００３３】
この構成によると、作成した出力用データファイルを、外部へ送信することが可能になる。
【００３４】
また、少なくとも、当該紙幣処理装置を利用する金融機関を特定する金融機関情報を入力可能に構成された操作入力部を備え、前記フォーマット設定部は、前記操作入力部によって入力された前記金融機関情報を受け、当該金融機関情報が特定する金融機関の仕様に従ったフォーマットを選択設定する、としてもよい。
【００３５】
この構成によると、ユーザは、操作入力部によって、当該紙幣処理装置を利用する金融機関を特定するだけで、当該金融機関の仕様に従ったフォーマットの出力用データファイルを得ることができる。
【００３６】
また、少なくとも、リジェクト紙幣の特徴情報を記録するか否かの選択を入力可能に構成された操作入力部を備え、前記制御部は、前記操作入力部によってリジェクト紙幣の特徴情報を記録しないと選択されたとき、リジェクト紙幣について出力用データファイルの作成を行わない、としてもよい。
【００３７】
この構成によると、ユーザは、操作入力部によって、リジェクト紙幣について出力用データファイルの作成を行わないよう設定できる。
【００３８】
また、少なくとも、リジェクト紙幣の特徴情報を記録するか否かの選択を入力可能に構成された操作入力部を備え、前記制御部は、前記操作入力部によってリジェクト紙幣の特徴情報を記録するか否かの選択がなされないとき、リジェクト紙幣について出力用データファイルの作成を行う、としてもよい。
【００３９】
この構成によると、ユーザがリジェクト紙幣の特徴情報を記録するか否かの選択を行わないときは、リジェクト紙幣について出力用データファイルの作成が行われる。
【００４０】
また、少なくとも、オンラインモードかオフラインモードかの選択を入力可能に構成された操作入力部を備え、前記制御部は、前記操作入力部によってオフラインモードが選択されたとき、前記外部送信部の動作を停止する、としてもよい。
【００４１】
この構成によると、ユーザは、操作入力部によって、外部送信が行われないオフラインモードに設定することができる。
【００４２】
また、前記制御部は、一時記憶部を有し、前記紙幣情報取得部から受けた前記紙幣の特徴情報を、一時的に、前記一時記憶部に記憶させる、としてもよい。
【００４３】
この構成によると、制御部は、取得した紙幣の特徴情報を一時記憶部に記憶させて、処理を行うことができる。
【００４４】
また、ここに開示する技術は、紙幣を一枚ずつ搬送するように構成された搬送部を備えた紙幣処理装置における紙幣処理方法に係り、この方法は、前記紙幣を搬送中に前記紙幣の特徴情報を取得し、前記紙幣の特徴情報を出力するフォーマットを複数のフォーマットの中から選択設定し、取得した前記紙幣の特徴情報を、選択設定されたフォーマットに編集することによって出力用データファイルを作成する。
【００４５】
この方法によると、紙幣処理装置において、紙幣を搬送中に紙幣の特徴情報が取得され、る。そして、複数のフォーマットの中から、紙幣の特徴情報を出力するフォーマットが選択設定され、紙幣の特徴情報が選択設定されたフォーマットに編集され、出力用データファイルが作成される。これにより、紙幣の特徴情報を、当該紙幣処理装置が設置されたシステム環境や当該紙幣処理装置を利用する金融機関等に応じた適切なフォーマットを持つ出力用データファイルに編集することが可能になる。
【発明の効果】
【００４６】
前記の紙幣処理装置によると、紙幣の特徴情報を、当該紙幣処理装置が設置されたシステム環境や当該紙幣処理装置を利用する金融機関等に応じた適切なフォーマットを持つ出力用データファイルに編集することが可能になる。
【図面の簡単な説明】
【００４７】
【図１】実施形態に係る紙幣処理装置の外観図
【図２】実施形態に係る紙幣処理装置の内部構成の概略図
【図３】実施形態に係る紙幣処理装置の機能構成を示すブロック図
【図４】出力用データファイル作成に関するシステム構成
【図５】（ａ）〜（ｄ）は出力フォーマットの例
【図６】（ａ）〜（ｃ）は出力フォーマットの例
【図７】実施形態に係る紙幣処理装置のタッチパネルに表示される画面の一例
【図８】紙幣情報格納に係る画面の一部
【図９】紙幣情報格納に係る画面の一部
【図１０】インポート用設定ファイルの一例
【図１１】出力用データファイル作成に関する処理の一例を示すフローチャート
【発明を実施するための形態】
【００４８】
以下、実施形態について、図面を参照して詳細に説明する。
【００４９】
＜紙幣処理装置の内部構成の概略＞
図１は紙幣処理装置１００の外観図であり、図２は紙幣処理装置１００の内部構成の概略図である。
【００５０】
紙幣処理装置１００は、例えば銀行のテラーカウンタに設置され、オペレータによって使用される。紙幣処理装置１００は、バラ状態の紙幣を取り込み、所定の種類の紙幣を集積し、該紙幣を所定の結束枚数で結束して投出する。
【００５１】
紙幣処理装置１００は、紙幣が載置され、該紙幣を取り込むホッパ部２と、紙幣を識別する識別部３と、結束対象の紙幣を集積する結束スタッカ４と、結束対象でない紙幣を集積する非結束スタッカ５と、リジェクト紙幣を集積するリジェクトスタッカ６と、ホッパ部２から取り込まれた紙幣を、識別部３、結束スタッカ４、非結束スタッカ５及びリジェクトスタッカ６に搬送する第１搬送部７と、結束スタッカ４に集積された紙幣を所定の位置まで搬送する第２搬送部８と、第２搬送部８により搬送された紙幣を結束する結束部９と、結束された紙幣（以下、「結束紙幣」という）を搬送する第３搬送部１０と、結束紙幣を投出する投出部１１と、識別部３、結束スタッカ４、非結束スタッカ５、リジェクトスタッカ６、第１搬送部７、第２搬送部８、結束部９及び第３搬送部１０を収容する箱状の筐体１２とを備えている。
【００５２】
筐体１２は、上面１２１と、下面１２２と４つの側面とを有している。筐体１２は、卓上型である。つまり、筐体１２の下面１２２には、キャスタ等が設けられておらず、卓上に設置される構造となっている。
【００５３】
筐体１２の４つの側面のうちの１つの側面である第１側面１２３には、ホッパ部２及び投出部１１が設けられている。４つの側面のうちの１つの側面である第２側面１２４には、詳しくは後述する結束スタッカ４の第１取出口４７及び非結束スタッカ５の第２取出口５３が設けられている。第１側面１２３と第２側面１２４とは、隣接している。
【００５４】
筐体１２の第２側面１２４には、紙幣処理装置１００への情報を入力する操作入力部であり且つ紙幣処理装置１００の情報を表示する表示部であるタッチパネル１７が設けられている。タッチパネル１７は、紙幣処理装置１００を操作するオペレータに対するヒューマンインターフェース部分である。
【００５５】
筐体１２の内部は、紙幣の識別及び分類に関する処理を行う第１処理部１２６と、結束対象の紙幣の結束に関する処理を行う第２処理部１２７とに別れている。第２処理部１２７は、第１処理部１２６の上方に設けられている。第１処理部１２６には、ホッパ部２、識別部３、非結束スタッカ５及びリジェクトスタッカ６が含まれる。第２処理部１２７には、結束スタッカ４、第２搬送部８、結束部９及び第３搬送部１０が含まれる。第１搬送部７の大部分は、第１処理部１２６に含まれている。
【００５６】
結束スタッカ４は、第１結束スタッカ４Ａと第２結束スタッカ４Ｂとの２つのスタッカを含んでいる。第１結束スタッカ４Ａと第２結束スタッカ４Ｂはともに、結束対象の紙幣を集積する。結束対象の紙幣として集積する紙幣は、適宜設定することができる。結束対象の紙幣は、所定の種類の紙幣である。所定の種類は、金種、正券か損券か、紙幣の表裏、紙幣の向き、新券か旧券かなどによって特定される。ここでは、結束対象の紙幣は、所定の金種（例えば、１００元）であって且つ正券の紙幣である。ここで、識別部３によって正常な紙幣として識別された紙幣を「正常紙幣」と、識別部３で正常な紙幣として識別されなかった紙幣を「異常紙幣」と、斜行や重送等により搬送状態が異常な紙幣を「搬送異常紙幣」と称する。例えば、正常な紙幣か否かを判断する条件の１つとしては、記番号が識別可能であるか否かが挙げられる。ただし、それとは異なる条件をもって正常な紙幣か否かを判断してもよいし、それに別の条件を加えて正常な紙幣か否かを判断してもよい。また、正常紙幣であっても搬送先（結束スタッカ、非結束スタッカ等）が指定されていない種類の紙幣を「指定外紙幣」と称する。また、正常紙幣のうち、汚れや破れ等が比較的少ない状態の紙幣を「正券」と、正常紙幣のうち、汚れや破れ等が比較的多い状態の紙幣を「損券」と称する。結束スタッカ４は、集積部の一例である。
【００５７】
第１及び第２結束スタッカ４Ａ，４Ｂは、第２処理部１２７内において実質的に上下方向に並んで配置されている。第１結束スタッカ４Ａは、第２結束スタッカ４Ｂの上方に位置している。第１結束スタッカ４Ａと第２結束スタッカ４Ｂとは、同様の構成をしている。２つのスタッカを区別しないときには、単に「結束スタッカ４」と称する。結束スタッカ４の詳細な構成については後述する。
【００５８】
非結束スタッカ５は、第１及び第２非結束スタッカ５Ａ，５Ｂの２つのスタッカを含んでいる。第１及び第２非結束スタッカ５Ａ，５Ｂは、第１処理部１２６内において実質的に水平方向に並んで配置されている。第２非結束スタッカ５Ｂの方が第１非結束スタッカ５Ａよりもホッパ部２に近い位置に配置されている。２つのスタッカを区別しないときには、単に「非結束スタッカ５」と称する。非結束スタッカ５に集積する紙幣は適宜設定することができる。ここでは、第１非結束スタッカ５Ａは、前記所定の金種であって且つ損券を集積する。第２非結束スタッカ５Ｂは、前記所定の金種以外の金種の紙幣を集積する。
【００５９】
リジェクトスタッカ６は、リジェクト紙幣を集積する。リジェクトスタッカ６は、第１及び第２非結束スタッカ５Ａ，５Ｂよりもホッパ部２に近接している。リジェクトスタッカ６は、第１及び第２非結束スタッカ５Ａ，５Ｂよりも少し上方に位置している。リジェクトスタッカ６に集積する紙幣は適宜設定することができる。ここでは、リジェクトスタッカ６は、「指定外紙幣」、「異常紙幣」及び「搬送異常紙幣」をリジェクト紙幣として集積する。
【００６０】
ホッパ部２は、第１側面１２３のうち第１処理部１２６に対応する部分に設けられ、投出部１１は、第１側面１２３のうち第２処理部１２７に対応する部分に設けられている。
【００６１】
ホッパ部２は、紙幣が載置される載置台２１と、載置台２１上に載置された紙幣を案内する２つのガイド部２２，２２と、取込ローラ２３と、紙幣を取り込む取込口２４と、載置台２１上の紙幣を検知する紙幣センサ２５とを有している。本実施形態では、紙幣が短手方向に取り込まれていくように、紙幣がホッパ部２に載置される。
【００６２】
取込口２４は、図１に示すように、載置台２１と第１側面１２３とが交わる隅部に形成されている。載置台２１は、取込口２４に近づくに従って下方に位置するように傾斜している。これにより、載置台２１上の紙幣は、自然と取込口２４の方へ向かうようになっている。載置台２１上に載置された紙幣は、取込口２４から筐体１２内へ取り込まれる。
【００６３】
また、紙幣センサ２５は、取込口２４の近傍に設けられている。紙幣センサ２５は、光を送信する送信部と光を受信する受信部とを有し、送信部から出射されて受信部に到達する光が遮断されることによって紙幣を検知する。紙幣センサ２５は、載置台２１上に載置された紙幣により光が遮断されるように配置されている。つまり、紙幣センサ２５は、光が遮断されることによって、載置台２１上に紙幣が載置されていることを検知することができる。非結束スタッカ５の紙幣の有無を検知する集積センサ５２、リジェクトスタッカ６の紙幣の有無を検知する集積センサ６２も、同様の構成をしている。
【００６４】
ガイド部２２，２２は、その間隔を調整可能に構成されている。つまり、ガイド部２２，２２の間隔は、載置台２１上に載置された紙幣に合わせて調整される。
【００６５】
取込ローラ２３は、キッカローラ２３ａと、フィードローラ２３ｂと、ゲートローラ２３ｃとを有している。キッカローラ２３ａは、部分的に載置台２１から露出しており、載置台２１上の紙幣のうち一番下の紙幣と接触している。キッカローラ２３ａは、載置台２１上に載置された紙幣のうち一番下の紙幣を取込口２４へ送り込む。こうして、紙幣が１枚ずつ取込口２４から取り込まれていく。取込口２４から送り込まれた紙幣は、フィードローラ２３ｂとゲートローラ２３ｃとで１枚ずつに分離されて、筐体１２内へ取り込まれる。取り込まれた紙幣は、第１搬送部７へ送られる。
【００６６】
投出部１１は、結束紙幣が投出される投出口１１１を有している。投出部１１においては、投出口１１１を介して、結束紙幣が紙幣の短手方向に投出される。
【００６７】
第１搬送部７は、搬送ベルト等で構成されている。第１搬送部７は、主搬送路７１と、主搬送路７１から分岐する第１〜第４分岐路７２ａ〜７２ｄと、主搬送路７１からの分岐箇所に設けられた振り分け機構７３と、紙幣の通過を検知する複数の通過センサ７４とを有している。第１搬送部７は、紙幣をその短手方向に搬送していく。第１搬送部７は、搬送部の一例である。
【００６８】
主搬送路７１は、取込ローラ２３から第１結束スタッカ４Ａまで延びている。第１分岐路７２ａは、主搬送路７１の最も上流側に位置しており、第１分岐路７２ａから下流側に向かって、第２分岐路７２ｂ、第３分岐路７２ｃ、第４分岐路７２ｄがこの順で位置している。第１〜第４分岐路７２ａ〜７２ｄのそれぞれを区別しないときには、単に分岐路７２と称する。第１分岐路７２ａは、リジェクトスタッカ６まで延びている。第２分岐路７２ｂは、第２非結束スタッカ５Ｂまで延びている。第３分岐路７２ｃは、第１非結束スタッカ５Ａまで延びている。第４分岐路７２ｄは、第２結束スタッカ４Ｂまで延びている。
【００６９】
振り分け機構７３は、ソレノイド（図示省略）によって駆動される。振り分け機構７３は、主搬送路７１を搬送中の紙幣を分岐路７２へ分岐させるか否かを振り分ける。各振り分け機構７３の上流側には、通過センサ７４が設けられている。通過センサ７４は、紙幣センサ２５と同様の構成をしている。つまり、通過センサ７４の受信部における光の受信が中断され、その後に光の受信が再開されたことをもって、紙幣の通過を検知することができる。振り分け機構７３は、紙幣を分岐路７２へ導く際には、その直上流の通過センサ７４が紙幣の通過を検知したことをもって作動する。
【００７０】
識別部３は、主搬送路７１のうち第１分岐路７２ａよりも上流側に設けられている。識別部３は、搬送される紙幣の一枚一枚について、その金種、真偽及び正損を識別するように構成されている。識別部３は、詳細な図示は省略するが、紙幣処理装置１００内においてユニット化されており、この識別部３には、紙幣処理装置１００全体の制御を行う制御部１２０（図３参照）とは別の制御用基板（識別基板３４、図４参照）を有している。この識別基板３４には、紙幣の識別に必要な情報を含むと共に、識別部３が識別を行う際に参照する識別用テンプレート３３が含まれている。また、識別部３は、ラインセンサ３１及び磁気センサ３２を有し、紙幣の特徴を取得する。識別部３は、紙幣の特徴が、識別用テンプレート３３に含まれる各種紙幣の特徴と一致するかを判定し、金種、真偽、及び正損を識別する。
【００７１】
尚、識別部３は、紙幣の特徴を取得するためのセンサであれば、ラインセンサ及び磁気センサに限られず、赤外線センサ及び紫外線センサ等のセンサを有していてもよい。ラインセンサ３１は、紙幣に印字されている記番号を光学的に読み取る機能も有している。記番号の読み取りについての詳細は、後述する。尚、識別部３におけるセンサ以外の機能を、後で述べる制御部１２０が行ってもよい。
【００７２】
結束部９は、集積された紙幣を結束する。詳しくは後述するが、結束部９は、テープ輪Ｌを作成し、該テープ輪Ｌの中へ紙幣が搬送された後にテープを引き戻し、紙幣をテープで結束する。
【００７３】
第２搬送部８は、結束スタッカ４に集積された紙幣を把持して、該紙幣をテープ輪Ｌの中へ搬送する。第２搬送部８は、紙幣を把持する把持ユニット８１と、把持ユニット８１を水平方向であって且つ紙幣の短手方向（以下、「第１水平方向」という）へ移動させる第１水平移動機構と、把持ユニット８１を水平方向であって且つ紙幣の長手方向（以下、「第２水平方向」という）へ移動させる第２水平移動機構と、把持ユニット８１を上下方向へ移動させる上下移動機構とを有している。第２搬送部８は、紙葉類搬送部の一例である。
【００７４】
把持ユニット８１は、上アーム部８１ａと、上アーム部８１ａと相対向する下アーム部８１ｂと、上アーム部８１ａを上下方向へ移動させる把持機構とを有している。把持機構は、上アーム部８１ａを上下方向に移動可能に支持すると共に、モータ及び駆動ベルトによって上アーム部８１ａを上下に移動させる。これにより、上アーム部８１ａと下アーム部８１ｂとで紙幣を把持することができる。
【００７５】
第１水平移動機構は、把持ユニット８１を第１水平方向に移動可能に支持しており、モータ及び駆動ベルトによって把持ユニット８１を第１水平方向に移動させる。
【００７６】
上下移動機構は、第１水平移動機構を上下方向に移動可能に支持しており、モータ及び駆動ベルトによって第１水平移動機構を上下方向に移動させる。
【００７７】
第２水平移動機構は、上下移動機構を第２水平方向に移動可能に支持しており、モータ及び駆動ベルトによって上下移動機構を第２水平方向に移動させる。
【００７８】
このように、把持ユニット８１は、第１水平移動機構、第２水平移動機構及び上下移動機構によって直交する３軸に沿った方向に移動可能に構成されている。
【００７９】
第３搬送部１０は、結束紙幣を投出部１１まで搬送する。第３搬送部１０は、上把持部１０１と、下把持部１０２と、上把持部１０１及び下把持部１０２を第１水平方向へ移動させる水平移動機構とを有している。水平移動機構は、上把持部１０１を第１水平方向へ移動させる際に上把持部１０１を上下方向にも移動させる。詳しくは、第３搬送部１０は、結束部９の側方を第１水平方向へ通過するように構成されている。第３搬送部１０は、結束部９に対して投出部１１と反対側に位置するときには、上把持部１０１は下把持部１０２から上方へ十分に離間している。上把持部１０１は、この位置から結束部９の結束紙幣へ近づくにつれて下方へ移動し、結束紙幣に到達したときには上把持部１０１と下把持部１０２とで結束紙幣を把持した状態となる。上把持部１０１及び下把持部１０２は、結束紙幣を把持した状態で結束紙幣を投出部１１近傍まで搬送する。上把持部１０１は、投出部１１の近傍において、投出部１１へ近づくにつれて上方へ移動する。その結果、上把持部１０１と下把持部１０２とで把持された結束紙幣は、投出部１１において上把持部１０１及び下把持部１０２による把持が解除され、投出部１１へ投出される。
【００８０】
＜紙幣処理装置の機能構成＞
図３は紙幣処理装置１００の機能的構成を示すブロック図である。
【００８１】
紙幣処理装置１００は、例えば周知のマイクロコンピュータをベースとした制御部１２０を備えている。制御部１２０には、前述したホッパ部２、識別部３、結束スタッカ４、非結束スタッカ５、リジェクトスタッカ６、第１搬送部７、第２搬送部８、結束部９、第３搬送部１０及びタッチパネル１７が、信号の送受信可能に接続されている。また、制御部１２０には、紙幣センサ２５、非結束スタッカ５の紙幣の有無を検知する集積センサ５２、リジェクトスタッカ６の紙幣の有無を検知する集積センサ６２、通過センサ７４が接続され、それらの検出信号が入力されるように構成されている。制御部１２０は、タッチパネル１７からの入力信号及び各種センサからの検知信号等に基づいて制御信号を生成し、ホッパ部２等へ該制御信号を出力する。ホッパ部２等は、その制御信号に従って動作する。
【００８２】
また、制御部１２０は、識別部３から紙幣の特徴情報を受ける。識別部３は、第１搬送部７が紙幣を搬送している最中に当該紙幣の特徴情報を取得する紙幣情報取得部に相当する。そして、制御部１２０は、紙幣の特徴情報を出力するフォーマットを、複数のフォーマットの中から選択設定するフォーマット設定部２１０と、紙幣の特徴情報を、フォーマット設定部２１０によって選択設定されたフォーマットに編集することによって、出力用データファイルを作成する編集部２２０とを備えている。フォーマット設定部２１０および編集部２２０は、例えばマイクロコンピュータが所定のプログラムを実行することによって実現される。
【００８３】
さらに、制御部１２０には、各種の情報を記憶する記憶部１３１、及び、後述するように、上位装置１４０及びプリンター１４１等に対して信号を入出力する入出力部１３２がそれぞれ接続され、制御部１２０と、記憶部１３１及び入出力部１３２との間で、各種の信号を入出力するように構成されている。入出力部１３２は、外部送信部２３０を含む。制御部１２０は、編集部２２０によって作成された出力用データファイルを、記憶部１３１に記憶させる。また、外部送信部２３０は、編集部２２０によって作成された出力用データファイル、あるいは、記憶部１３１に記憶された出力用データファイルを、紙幣処理装置１００の外部、例えば上位装置１４０に送信する。
【００８４】
＜紙幣処理装置の動作説明＞
以下、紙幣処理装置１００の入金処理について説明する。入金処理においては、バラ状態の紙幣が分類され、所定のスタッカに集積され、さらには、所定の紙幣については結束される。以下では、結束対象の所定の一種類の正券紙幣を第１及び第２結束スタッカ４Ａ，４Ｂに所定枚数ずつ交互に集積し、該所定枚数集積した紙幣を順次、結束部９により結束する同一種類結束処理について説明する。
【００８５】
紙幣処理装置１００は、テラーカウンタ上であって、オペレータがテラーカウンタを挟んで顧客と正対したときにオペレータの少し左側（顧客の右側）に設置される。このとき、紙幣処理装置１００は、筐体１２の第１側面１２３が顧客の方を向くように設置される。この状態においては、筐体１２の第２側面１２４は、オペレータの方を向いている。ただし、紙幣処理装置１００はオペレータの少し左側に位置するので、顧客も第２側面１２４を視認することができる。
【００８６】
まず、オペレータは顧客から入金すべきバラ状態の紙幣を受け取り、該紙幣をホッパ部２へ載置する。このとき、バラ状態の紙幣に複数種類の紙幣が混在していたとしても、それらを分類することなく、ホッパ部２へ載置する。オペレータは、紙幣の寸法に合わせて、ガイド部２２を調整する。続いて、オペレータは、タッチパネル１７を操作して、紙幣の取込を開始する。尚、紙幣センサ２５がホッパ部２への紙幣の載置を検知すると、紙幣処理装置１００が自動的に紙幣の取込を開始するようにしてもよい。
【００８７】
ホッパ部２に載置された紙幣は、取込ローラ２３が作動することにより１枚ずつ取込口２４から、筐体１２内へ取り込まれていく。取り込まれた紙幣は、第１搬送部７により搬送され、識別部３を通過する。識別部３は、通過する紙幣の紙幣種別を取得し、その紙幣種別を制御部１２０へ通知する。識別部３はまた、紙幣の記番号を読み取り、その記番号も制御部１２０へ通知する。
【００８８】
制御部１２０は、紙幣の種類に応じて、紙幣に対応する搬送先を決定する。具体的には、紙幣が結束対象の所定金種の紙幣であって且つ正券紙幣であるときには、制御部１２０は、搬送先を結束スタッカ４（４Ａ及び４Ｂの何れか一方）とする。紙幣が結束対象の所定金種の紙幣であって且つ損券紙幣であるときには、制御部１２０は、搬送先を第１非結束スタッカ５Ａとする。紙幣が所定金種以外の金種の紙幣であるときには、制御部１２０は、搬送先を第２非結束スタッカ５Ｂとする。紙幣がリジェクト紙幣であるときには、制御部１２０は、搬送先をリジェクトスタッカ６とする。
【００８９】
制御部１２０は、紙幣が搬送先となるスタッカに搬送されるように第１搬送部７を制御する。具体的には、制御部１２０は、搬送先となるスタッカへ繋がる分岐路７２に対応する振り分け機構７３を該紙幣が主搬送路７１から該分岐路７２へ導かれるように制御する。制御部１２０は、該分岐路７２の直前の通過センサ７４が紙幣を検知したときに、該振り分け機構７３を切り替える。そうして、紙幣をスタッカ内に搬入する。
【００９０】
結束スタッカ４に搬送される紙幣は、２つの結束スタッカ４のうち一方の結束スタッカ４へ搬送される。一方の結束スタッカ４に集積された紙幣の枚数が所定の結束枚数（例えば、１００枚）に達すると、それ以降の紙幣は、他方の結束スタッカ４へ搬送される。ここでは、紙幣がまず第１結束スタッカ４Ａへ搬送されるものとする。第１結束スタッカ４Ａに集積された紙幣が結束枚数に達すると、制御部１２０は、第２搬送部８を制御し、把持ユニット８１により第１結束スタッカ４Ａ内の紙幣を把持し、該紙幣を結束部９へ搬送する。その後、制御部１２０は、結束部９を制御して、紙幣をテープで結束する。
【００９１】
尚、第１結束スタッカ４Ａに集積された紙幣が結束枚数に達すると、それ以降の紙幣は第２結束スタッカ４Ｂに集積される。その後、第２結束スタッカ４Ｂに集積された紙幣が結束枚数に達したときには、それ以降の紙幣は再び第１結束スタッカ４Ａに集積されるようになる。このときまでには、第１結束スタッカ４Ａ内の紙幣の搬出が完了しているので、第１結束スタッカ４Ａ内は空の状態になっている。このように、２つの結束スタッカ４を設けることによって、紙幣の集積を連続して行いつつ、結束処理を行うことができる。
【００９２】
続いて、制御部１２０は、第３搬送部１０を制御して、結束紙幣を投出口１１１から投出する。
【００９３】
所定金種の紙幣であって且つ損券紙幣は、第１非結束スタッカ５Ａへ搬送され、第１非結束スタッカ５Ａに集積される。同様に、所定金種以外の金種の紙幣は、第２非結束スタッカ５Ｂへ搬送され、第２非結束スタッカ５Ｂに集積される。リジェクト紙幣も、リジェクトスタッカ６へ搬送され、リジェクトスタッカ６に集積される。
【００９４】
以上の処理が、ホッパ部２に載置された紙幣が無くなるまで続けられる。ホッパ部２の紙幣の有無は、紙幣センサ２５によって検知される。
【００９５】
ホッパ部２に載置された紙幣の処理が完了すると、リジェクト紙幣の取込及び識別を再度行う。つまり、オペレータは、リジェクト紙幣をリジェクトスタッカ６から抜き出して、ホッパ部２へ載置し、再び取込を行う。リジェクト紙幣は、何らかの理由で正常な紙幣として識別されなかった紙幣であるので、再び取込及び識別を試みる。それでも尚、リジェクト紙幣として識別される紙幣は、再びリジェクトスタッカ６に集積される。オペレータは、再び集積された紙幣を顧客に返却する。
【００９６】
尚、第１及び第２非結束スタッカ５Ａ，５Ｂに集積された紙幣については、再度の取込を行わない。
【００９７】
こうして、ホッパ部２に載置された紙幣の処理とリジェクト紙幣の再処理が完了すると、同一種類結束処理が完了し、顧客から渡された入金すべき紙幣の計数及び分別が終了する。タッチパネル１７には、計数された金額が表示される。オペレータは、顧客からその金額の承認を得るか、又は、その金額と顧客が記載した入金伝票に記載された金額との一致を確認すると、タッチパネル１７により入金額の確定操作を行う。確定操作が行われると、確定した入金額が上位装置１４０（図４参照）へ通知され、入金処理が完了する。
【００９８】
入金処理の完了後は、オペレータは、投出部１１に投出されている結束紙幣、結束スタッカ４に集積されている紙幣及び非結束スタッカ５に集積されている紙幣を取り出して所定の収納場所に収納する。
【００９９】
以上の処理により、複数種類の紙幣が混在し且つバラ状態であった紙幣は、所定金種の正券紙幣と、所定金種の損券紙幣と、所定金種以外の金種の紙幣と、リジェクト紙幣とに分類され、所定金種の正券紙幣については結束枚数ごとに結束された状態となる。
【０１００】
＜出力用データファイル作成に関するシステム構成＞
図４は紙幣処理装置１００における出力用データファイル作成に関するシステム構成の例である。図４の構成では、紙幣処理理装置１００が有する制御部１２０は、紙幣の搬送等のハードウエア部分の制御を主に行うメカ基板１２０２と、タッチパネル１７の表示及び操作や、紙幣の特徴情報が含まれた出力用データファイルの作成等のソフトウエア部分の制御を主に行うＰＣ基板１２０３とを含んで構成されている。また、識別部３は、これらメカ基板１２０２及びＰＣ基板１２０３とは異なる、識別基板３４を有している。識別基板３４は、メカ基板１２０２及びＰＣ基板１２０３のそれぞれに接続されている。識別基板３４は、これらの各基板１２０２、１２０３に対して、識別情報や記番号に係る情報及びデータを提供する。メカ基板１２０２は、ＰＣ基板１２０３に対して、紙幣に関する情報を提供する。ＰＣ基板１２０３は、記憶部１３１や外部送信部２３０に対して出力用データファイルなどの情報を提供する。またＰＣ基板１２０３は、一時記憶部としてのメモリ２４０を有しており、例えば、識別基板３４から受けた紙幣の特徴情報を、一時的にメモリ２４０に記憶させ、処理を実行する。
【０１０１】
紙幣処理装置１００には、上位装置１４０が、無線又は有線の通信線１４２を介して接続される。ここでいう通信線１４２には、ＬＡＮ又はＷＡＮ等のネットワークも含まれる。また、紙幣処理装置１００には、印刷を行うプリンター１４１が接続される。プリンター１４１もまた、ネットワークを介して、紙幣処理装置１００に接続される場合がある。紙幣処理装置１００は前述したように記憶部１３１を有している。記憶部１３１は、ここでは特に、読み取った紙幣の記番号や紙幣に関する画像などの紙幣の特徴情報を所定のフォーマットに編集した出力用データファイルを記憶する。このことについての詳細は後述する。記憶部１３１は、磁気ディスクを有するハードディスクドライブ、フラッシュメモリを有するＳＳＤ（Solid State Drive）、又は、ＳＤカード等の各種メモリカードから構成される。記憶部１３１は、紙幣処理装置１００の本体に対し、いわゆる外付けで、脱着可能に接続する構成を採用してもよい。こうすることで、記憶部１３１の記憶容量が無くなったときには、新たな記憶部１３１と交換することが容易になる。また、記憶部１３１自体を、上位装置１４０または上位装置１４０に接続可能な機器に取り付けることによって、上位装置１４０にデータを送るための媒体として利用することが可能になる。
【０１０２】
＜出力フォーマットの例＞
紙幣処理装置１００では、紙幣の特徴情報を含む出力用データファイルについて、複数のフォーマットが準備されている。これらフォーマットの準備は例えば、紙幣処理装置１００の設置時に設置担当者が行えばよい。準備されている複数のフォーマットは、フォーマット設定部２１０に保存されている。なお、出力フォーマットの中には、識別部３によって取得された正損情報や記番号などの特徴情報以外の情報を含むものもある。
【０１０３】
図５および図６は紙幣処理装置１００において準備されている、紙幣の特徴情報を編集するフォーマットの例を示している。図５（ａ）〜（ｄ）はそれぞれ出力タイプＴｙｐｅＡ−Ｄに対応するフォーマットを示しており、図６（ａ）〜（ｃ）はそれぞれ出力タイプＴｙｐｅＥ−Ｇに対応するフォーマットを示している。ここでのフォーマットとは、いわゆるファイル形式の他に、通信プロトコル、含まれる情報の種類、各情報のデータサイズなどを含む。なお、図５および図６では各フォーマットで定められた情報の一部を示しており、実際には、図示している情報以外の情報も各フォーマットに含まれている場合がある。
【０１０４】
図５（ａ）に示すＴｙｐｅＡは、ＦＴＰ通信によってデータを送信するものであり、紙幣情報に応じてファイルを分けないフォーマットである。各紙幣について、正損情報、紙幣発行年数、記番号のＯＣＲデータ、記番号のイメージデータなどの情報が含まれている。図５（ｂ）に示すＴｙｐｅＢは、ＴＣＰ通信によってデータを送信するものであり、ＴｙｐｅＡと同様に紙幣情報に応じてファイルを分けないフォーマットである。各紙幣についての情報は、ＴｙｐｅＡと同様である。ＴｙｐｅＡ，Ｂのように通信方式が互いに異なるフォーマットを準備することによって、データを送信する通信方式に応じたフォーマットを設定することができる。
【０１０５】
図５（ｃ）に示すＴｙｐｅＣは、ＴｙｐｅＡと同様に、ＦＴＰ通信によってデータを送信するものであり、紙幣情報に応じてファイルを分けないフォーマットである。ただし、ＴｙｐｅＡと異なり、各紙幣について、束ＩＤの情報が追加されている。例えば、束ＩＤの情報を要求する金融機関についてはＴｙｐｅＣを設定し、束ＩＤの情報を要求しない金融機関についてはＴｙｐｅＡを設定する、というようにすればよい。なお、束ＩＤの情報は、識別部３によって得られるものではなく、紙幣の結束時に紙幣処理装置１００によって付与される。すなわち、ＴｙｐｅＣは、識別部３によって取得された紙幣の特徴情報以外の情報を含む出力フォーマットの一例である。
【０１０６】
図５（ｄ）に示すＴｙｐｅＤは、ＦＴＰ通信によってデータを送信するものであり、紙幣処理装置１００内における紙幣の搬送先毎にファイルを分けるフォーマットである。例えば、結束スタッカ４（搬送先Ａ）に搬送される紙幣と非結束スタッカ５（搬送先Ｂ）に搬送される紙幣とについて、別個のファイルを作成する。各紙幣についての情報は、ＴｙｐｅＡと同様である。
【０１０７】
図６（ａ）に示すＴｙｐｅＥは、ＦＴＰ通信によってデータを送信するものであり、正損情報に応じてファイルを分けるフォーマットである。すなわち、正券と損券とについて、別個のファイルを作成する。各紙幣についての情報は、ＴｙｐｅＡと比べると、正損情報が省かれている。
【０１０８】
図６（ｂ）に示すＴｙｐｅＦは、ＴｙｐｅＡと同様に、ＦＴＰ通信によってデータを送信するものであり、紙幣情報に応じてファイルを分けないフォーマットである。ただし、ＴｙｐｅＡと異なり、各紙幣について、紙幣処理装置を特定する情報が追加されている。図６（ｂ）の例では、紙幣処理装置を特定する情報として紙幣処理装置のメーカー情報および号機番号が追加されている。すなわち、ＴｙｐｅＦは、識別部３によって取得された紙幣の特徴情報以外の情報を含む出力フォーマットの一例である。
【０１０９】
図６（ｃ）に示すＴｙｐｅＧは、ＴｙｐｅＡと同様に、ＦＴＰ通信によってデータを送信するものであり、紙幣情報に応じてファイルを分けないフォーマットである。ただし、ＴｙｐｅＡと異なり、各紙幣について、紙幣処理装置を操作したオペレータ（操作者）を特定する情報が追加されている。図６（ｃ）の例では、オペレータを特定する情報としてオペレータＩＤが追加されている。すなわち、ＴｙｐｅＧは、識別部３によって取得された紙幣の特徴情報以外の情報を含む出力フォーマットの一例である。
【０１１０】
＜フォーマット選択操作＞
本実施形態に係る紙幣処理装置では、ユーザは、図５および図６に示すような複数のフォーマットの中から、出力用データファイルの作成に用いるフォーマットを選択することができる。例えば、操作入力部の一例としてのタッチパネル１７を用いて、フォーマット選択操作を行う。
【０１１１】
図７は紙幣処理装置１００の動作時に紙幣処理装置１００のタッチパネル１７に表示される画面の一例である。この画面の上部および下部には各種の選択ボタンが表示されている。この中の「ＭＥＮＵ」ボタン１６Ａをユーザが選択操作することにより、タッチパネル１７は図８に示すメニュー画面Ｐ１を表示する。
【０１１２】
メニュー画面Ｐ１には複数のメニューボタンが並んでいる。ユーザが、この中の「設定（Setting）」のボタンを選択操作したときには、タッチパネル１７は設定画面Ｐ２を表示する。設定画面Ｐ２は複数の設定ボタンを含んでいる。ユーザがこの中の「紙幣情報格納（NoteInformation）」を選択操作することにより、タッチパネル１７は紙幣情報格納画面Ｐ３を表示する。
【０１１３】
紙幣情報格納画面Ｐ３は、「紙幣情報出力タイプ」「オンラインモード」「リジェクト紙幣記録」「銀行コード」「１ファイルの格納枚数」「設定ファイルインポート」の６つのボタンを含んでいる。紙幣情報格納画面Ｐ３においてユーザが「紙幣情報出力タイプ」を選択操作したとき、タッチパネル１７は図９に示す紙幣情報出力タイプ設定画面Ｐ４を表示する。この設定画面Ｐ４では、図５および図６に示すような各出力フォーマットＴｙｐｅＡ−Ｇが選択可能になっている。設定画面Ｐ４でユーザがいずれかの出力フォーマットを選択すると、制御部１２０において、フォーマット設定部２１０はユーザによって選択された当該出力フォーマットを選択設定し、編集部２２０は紙幣の特徴情報をその出力フォーマットに編集することによって、出力用データファイルを作成する。
【０１１４】
紙幣情報格納画面Ｐ３において、ユーザが「オンラインモード」を選択操作したとき、タッチパネル１７は図９に示すオンラインモード設定画面Ｐ５を表示する。この設定画面Ｐ５では、紙幣処理装置１００の動作モードについて、オンラインモードかオフラインモードかを選択可能になっている。設定画面Ｐ５でユーザがオフラインモードを選択すると、制御部１２０は、外部送信部２３０の動作を停止する。これにより、紙幣処理装置１００はオンライン動作が行えなくなる。
【０１１５】
紙幣情報格納画面Ｐ３において、ユーザが「リジェクト紙幣記録」を選択操作したとき、タッチパネル１７は図９に示すリジェクト紙幣記録設定画面Ｐ６を表示する。この設定画面Ｐ６では、リジェクト紙幣について、紙幣情報を記録するか否かを選択可能になっている。設定画面Ｐ６でユーザがリジェクト紙幣について紙幣情報を「記録しない」と選択すると、制御部１２０は、リジェクト紙幣について、出力用データファイルの作成を行わない。例えば、結束紙幣と紙幣情報とが一対一で対応していることを要求されている場合には、「記録しない」を選択すればよい。ただし、ＴｙｐｅＤのように搬送先毎にファイルを分けるフォーマットであれば、「記録する」を選択していても問題は生じない。一方、紙幣処理装置１００を設置した金融機関から、リジェクト紙幣に関しても紙幣情報が要求されている場合には、「記録する」を選択すればよい。また、リジェクト紙幣の特徴情報を記録するか否かの選択がなされていないときは、リジェクト紙幣について出力用データファイルの作成を行うものとしてもよい。
【０１１６】
紙幣情報格納画面Ｐ３においてユーザが「銀行コード」を選択操作したとき、タッチパネル１７は図９に示す銀行コード設定画面Ｐ７を表示する。この設定画面Ｐ７では、当該紙幣処理装置１００を設置する銀行が選択可能になっている。設定画面Ｐ７でユーザがいずれかの銀行を選択すると、制御部１２０において、フォーマット設定部２１０は、ユーザによって選択された銀行の仕様に従った出力フォーマットを選択設定する。フォーマット設定部２１０は、各銀行と各出力フォーマットとの対応関係を予め記憶している。編集部２２０は紙幣の特徴情報をその出力フォーマットに編集することによって、出力用データファイルを作成する。また、その出力フォーマットに含まれる情報の中に「銀行コード」が含まれているときは、ユーザによって設定された銀行コードが出力データファイルに設定される。なお、設定画面Ｐ７において、銀行コード以外の金融機関情報を入力するようにしてもかまわない。例えば、銀行の支店名を設定可能にしておいてもよい。これは、支店によって要求される出力フォーマットが異なる場合もあり得るためである。フォーマット設定部２１０は、入力された金融機関情報を受け、この金融機関情報が特定する金融機関の仕様に従ったフォーマットを選択設定する。
【０１１７】
紙幣情報格納画面Ｐ３においてユーザが「１ファイルの格納枚数」を選択操作したとき、タッチパネル１７は図９に示す１ファイルの格納枚数設定画面Ｐ８を表示する。この設定画面Ｐ８では、１つの出力用データファイルに特徴情報が含まれる紙幣の枚数を設定可能になっている。すなわち、図５および図６に示す出力フォーマットにおける「Ｘ」の値が設定される。
【０１１８】
また、紙幣情報格納画面Ｐ３において「設定ファイルインポート」を選択操作することによって、ユーザは、図１０に示すような設定ファイルを紙幣処理装置１００にインポートすることができる。インポートされた設定ファイルは、例えば記憶部１３１に格納され、制御部１２０は記憶部１３１に格納された設定ファイルに従って紙幣処理装置１００の各種設定を行う。例えば、図１０に示すような設定ファイルが記憶部１３１に格納されたとき、制御部１２０において、フォーマット設定部２１０は、出力フォーマットをＴｙｐｅＡに設定し、１つの出力用データファイルに特徴情報が含まれる紙幣の枚数を２０００に設定する。また、制御部１２０は、オフラインモードが選択されているので、外部送信部２３０の動作を停止する。
【０１１９】
図１１は出力用データファイル作成に関する処理の一例を示すフローチャートである。図１１に示すように、まず図７〜図９に示すようなタッチパネル１７の画面をユーザが操作すると、制御部１２０におけるフォーマット設定部２１０によって、例えば図５および図６に示すようなＴｙｐｅＡ−Ｇの中から、出力用データファイルのフォーマットが選択設定される（Ｓ１）。
【０１２０】
その後、オペレータの操作によって、紙幣処理Ｓ２が行われる。すなわち、オペレータが顧客から受け取ったバラ状態の紙幣をホッパ部２に置き、タッチパネル１７を操作して紙幣の取込を開始する（Ｓ２１）。取り込まれた紙幣は、第１搬送部７により一枚ずつ搬送され（Ｓ２２）、識別部３を通過する。識別部３は通過する紙幣の種別や記番号などの特徴情報を取得し、制御部１２０に通知する（Ｓ２３）。制御部１２０は、紙幣の種類に応じて、搬送先を決定する。また、制御部１２０は、識別部３から送られた紙幣の特徴情報をメモリ２４０に一時的に記憶する。このような動作が、ホッパ部２に置かれた紙幣がなくなるまで繰り返し行われる（Ｓ２４）。
【０１２１】
紙幣処理Ｓ２が終了すると、制御部１２０における編集部２２０は、メモリ２４０に一時的に記憶された紙幣の特徴情報を、フォーマット設定部２１０によって選択設定されたフォーマットに編集し、出力用データファイルを作成する（Ｓ３）。このとき、束ＩＤや、紙幣処理装置１００を特定する情報、操作者を特定する情報など、紙幣の特徴情報以外の情報を必要とする場合には、これらの情報を出力用データファイルに追加する。
【０１２２】
そして、制御部１２０は、作成した出力用データファイルを記憶部１３１に記憶させる（Ｓ４）。そして、作成した出力用データファイルを、外部送信部２３０によって外部例えば上位装置１４０に送信する（Ｓ５）。
【０１２３】
以上のように本実施形態によると、紙幣処理装置１００において、制御部１２０は、紙幣を搬送する第１搬送部７などの動作を制御するとともに、紙幣の搬送中に識別部３によって取得された紙幣の特徴情報を受ける。そして、フォーマット設定部２１０によって、複数のフォーマットの中から、紙幣の特徴情報を出力するフォーマットが選択設定され、編集部２２０によって、紙幣の特徴情報が、選択設定されたフォーマットに編集され、出力用データファイルが作成される。これにより、紙幣処理装置１００によって処理された紙幣の特徴情報を、当該紙幣処理装置１００が設置されたシステム環境や当該紙幣処理装置１００を利用する金融機関等に応じた適切なフォーマットを持つ出力用データファイルに編集することが可能になる。
【０１２４】
なお、図１１のステップＳ４において、制御部１２０は、作成された出力用データファイルを、当該出力用データファイルに対応する紙幣が紙幣処理装置１００の外部に放出されるとき、記憶部１３１に記憶させるようにしてもよい。これにより、外部に放出された紙幣と、紙幣処理装置１００内で記憶している出力用データファイルとが、確実に整合する。
【０１２５】
また、制御部１２０は、記憶部１３１に記憶された出力用データファイルを、作成から所定の保存日数が経過したとき、記憶部１３１から削除するようにしてもよい。さらには、外部に未送信の出力用データファイルの保存日数を、外部に送信済の出力用データファイルよりも長い期間に設定するようにしてもよい。これにより、外部に未送信の出力用データファイルが紙幣処理装置１００から削除されてしまうリスクを抑えつつ、記憶部１３１の記憶容量を効率的に活用することが可能になる。
【０１２６】
また、制御部１２０は、記憶部１３１に、外部に未送信の出力用データファイルと、外部に送信済の出力用データファイルとを、区別可能なように記憶させてもよい。具体的には例えば、未送信か送信済みかをファイル名で識別できるようにしたり、あるいは、保存するフォルダを変えるようにすればよい。これにより、出力用データファイルの未送信／送信済の管理が容易になる。
【０１２７】
また、制御部１２０は、記憶部１３１が記憶可能な状態でないとき、例えば記憶部１３１がＳＤカードのような着脱可能なものであり、紙幣処理装置１００から外されている場合には、第１搬送部７などの搬送部を動作させないようにしてもよい。これにより、出力用データファイルが保存できないときに紙幣処理が実行されることを回避することができる。
【０１２８】
また、制御部１２０は、識別部３から送られた紙幣の特徴情報を、一時的に記憶することなく、選択設定されたフォーマットで編集していってもかまわない。この場合は、制御部１２０に一時記憶部は不要となる。
【０１２９】
また、上述の実施形態では、タッチパネル１７がフォーマット選択のための操作入力部として用いられるものとしたが、フォーマット選択のための操作入力部は、タッチパネルに限定されるものでなく、各種のスイッチやボタン等によって実現可能である。さらに、紙幣処理装置１００に接続された上位装置１４０からの指示により、フォーマット選択することも可能である。また、紙幣処理装置１００に準備される出力フォーマットは、図５および図６に示したものに限られるものではない。
【符号の説明】
【０１３０】
３  識別部（紙幣情報取得部）
１７  タッチパネル（操作入力部）
７１  第１搬送部（搬送部）
１２０  制御部
１３１  記憶部
２１０  フォーマット設定部
２２０  編集部
２３０  外部送信部
２４０  メモリ（一時記憶部）
【図１】
2016146027.tif 000003
【図２】
2016146027.tif 000004
【図３】
2016146027.tif 000005
【図４】
2016146027.tif 000006
【図５】
2016146027.tif 000007
【図６】
2016146027.tif 000008
【図７】
2016146027.tif 000009
【図８】
2016146027.tif 000010
【図９】
2016146027.tif 000011
【図１０】
2016146027.tif 000012
【図１１】
2016146027.tif 000013